(57)【要約】【目的】  ゴミ収集用集積庫に関し、ゴミの収集口を道路側に向け、投入口を敷地側に向けて、ゴミの投入及び回収作業を安全・迅速に行えるようにした。【構成】  本体(1)の外側面上半部に開口部(S)を形成し、これを塞ぐ扉パネル(2)を上下動可能にガイドレール(3)に掛止し、扉パネル(2)で開口部(S)を塞いだときに掛止する掛け具(4)を扉パネル(2)の上端左右に設け、受け具(5)を本体平面の天板(61)に設け、その平面の外側寄りに開口部(S1)を形成し、開口部(S1)を塞ぐ天板(61)を他の天板(62)に結合し、本体(1)の内側面上半部に傾斜開口部(S2)を形成し、その開口部を塞ぐ傾斜扉パネル(8)を開閉自在に内側枠体に結合し、内側面のうち、傾斜扉パネル寄りに開口部(S3)を形成し、その開口部を塞ぐ内側面パネル(9)をガイド凹溝部(10)に掛止すると共に上部に掛け具(12)を設け、その受け具(13)を内側枠体(13)に設け、内側面板の下端と床面(14)との間に隙間(15)を形成した構成。【選択図】      図１
2006103838.tif 000002
【特許請求の範囲】
【請求項１】
ボックス型本体(1)の外側面上半部に開口部(S)を形成し、当該開口部を塞ぐための外側扉パネル(2)を上下方向にスライドできるように左右のガイドレール(3)・(3)に掛止し、前記の外側面扉パネル(2)を上昇して開口部(S)を塞いだときに掛止する掛け具(4)を当該外側面扉パネルの上端左右両側に設け、その掛け具を受ける受け具(5)を前記本体平面に天板側に設け、その平面の外側寄りに開口部(S1)を形成し、その開口部を塞ぐ可動天板(61)を平面の内側寄りの天板(62)にヒンジ(7)を介して開閉できるように結合し、ボックス型本体(1)の内側面上半部に傾斜開口部(S2)を形成し、その開口部を塞ぐための両開き式の傾斜扉パネル(8)・(8)を左右方向に開閉できるように内側傾斜枠体(11)にヒンジ(7)を介して結合し、且つ内側面板(9′)のうち、傾斜扉パネル寄りの上半部に開口部(S3)を形成し、その開口部を塞ぐための内側面パネル(9)の下部軸(11)を上下方向にスライドできるように左右のガイド凹溝部(10)・(10)に掛止すると共に、上部に掛け具(12)を設け、これを受ける受け具(13)を内側面枠体(11)に設け、前記内側面下半部の固定内側面板(9′)の下端と床面(14)との間に隙間(15)を形成したことを特徴とするゴミ収集用収納庫。
【請求項２】
ボックス型本体(1)の外側面と内側面において、上半部に回収口と投入口となる開口部(S)を形成し、当該開口部を塞ぐための外側扉パネル(2)を上下方向にスライドできるように左右のガイドレール(3)・(3)に掛止し、前記の外側扉パネル(2)を上昇して開口部(S)を塞いだときに掛止する掛け具(4)を当該外側扉パネルの上端左右両側に設け、その掛け具を受ける掛止受具(5)を前記ボックス型本体(1)の平面に可動天板(6)を設け、その平面の外側面寄り開口部(S1)を形成し、その開口部を塞ぐ外側寄りの天板(61)を平面の内側寄りの天板(62)にヒンジ(7)を介して開閉できるように結合したことを特徴とするゴミ収集用収納庫。
【発明の詳細な説明】
【技術分野】
【０００１】
本発明はゴミ収集用集積庫に関するものであり、ゴミを回収するための収集口を道路側に向けると共に、収納するための投入口を敷地の内側に向けることによって、ゴミの投入及び収集作業を迅速容易に行えるようにしたものである。
【背景技術】
【０００２】
一般にゴミを回収するための収集用集積庫は、そのゴミの投入口と収集口は1個所を共用している。そして、設置場所の条件によって、ゴミの投入口兼収集口を敷地の内側に向けたり、道路側に向けたりしていた。
【特許文献１】特開２０００−３４００２
【特許文献２】実開平０７−０２１６０１
【発明の開示】
【発明が解決しようとする課題】
【０００３】
ところが、上記のゴミ投入口兼収集口を敷地の内側に向けて設置した場合は、投入されたゴミを収集するために停車したゴミ収集車から下りた作業員が道路側から敷地内に回り込んで取り出すことになり、それだけ、時間と手間が掛かっていた。
【０００４】
反対にゴミ投入口兼収集口を道路側に向けて設置した場合は、投入されたゴミを収集するために停車したゴミ収集車からのゴミの取り出しには便利であるが、敷地内側から道路側に回り込んで投入することになり、住人にとっては時間と手間が掛かるほか、道路側に出るため子供や高齢者とっては甚だ危険であった。
【０００５】
従来公知の発明として、特許文献１のごみ収集用箱が開示されている。その構造は、支柱１により背面状体６、側面状体７a、７bが支持され、側面状体７a・７bに正面状体５が連結され、背面状体６に接続された板状１９に蓋体が蝶番８により支持されており、正面状体５に鍵棒２４及び持ち手１３を設け、正面状体５の下部にキャスター３を設けて、正面状体５を押し引きするだけで折り畳み可能とし、クッション部材１２を設けたものであり、これによって、移設可能、安全性の向上、コンパクト化、ごみの出し入れ時の安全性を確保される効果を有しているとされている。
【０００６】
しかしながら、ごみの投入口と収集口が1個所で共有であるため、本発明が解決しようとする課題は未だ解決しない。
【０００７】
次に、特許文献２の考案にあっては、略直方体の箱状からなる大型ゴミ収納は、骨組みを形成する鋼材(k)と、それを覆う非金属板（a〜i）と、それを密着させる補強材(j)、そして正背面上部中央(1、2)と正面(3)に開閉装置、左側面上部に通気口(4)とを有し、内底部には二分割可能な底板(12)敷かれ、その下底全体にＧ活性炭を利用した脱臭マット(6)が敷かれる。これによって、野犬、猫、鳥などとゴミとの接触が遮断することが可能である。また、悪臭及び汚水の外部流出を未然に防ぐことが可能である、とされている。
【０００８】
しかしながら、ごみの投入口と収集口が1個所で共有であるため、本発明が解決しようとする課題は未だ解決しない。
【課題を解決するための手段】
【０００９】
本発明は、上記の課題を解決し、且つ発明の目的を達成するために提供するものである。
【００１０】
本発明の第１は、ゴミ収集用集積庫において、ボックス型本体の外側面上半部に収集口となる開口部を形成し、当該開口部を塞ぐための外側面扉パネルを上下方向にスライドできるように左右のガイドレールに掛止し、前記の外側面扉パネルを上昇して開口部を塞いだときに掛止する掛け具を当該扉パネルの上端左右両側に設け、その掛け具を受ける受け具を前記本体平面の天板に設け、その平面の外側寄りに開口部を形成し、その開口部を塞ぐ可動天板を平面の内側寄りの天板にヒンジを介して開閉できるように結合し、ボックス型本体の内側面上半部に投入口となる傾斜開口部を形成し、その開口部を塞ぐための両開き式の内側面の扉パネルを左右方向に開閉できるように内側傾斜枠体にヒンジを介して結合し、且つ内側面板のうち、傾斜扉パネル寄りの上半部に開口部を形成し、その開口部を塞ぐための内側面扉パネルの下部軸を上下方向にスライドできるように左右のガイド凹溝部に掛止すると共に、上部に掛け具を設け、これを受ける受け具を内側面枠体に設け、前記内側面下半部の固定内側面板の下端と床面との間に隙間を形成したものである。
【００１１】
本発明の第２は、ゴミ回収用集積庫において、ボックス型本体の外側面と内側面において、上半部に回収口及び投入口となる開口部を形成し、当該開口部を塞ぐための外側面扉パネルを上下方向にスライドできるように左右のガイドレールに掛止し、前記の外側面扉パネルを上昇して開口部を塞いだときに掛止する掛け具を当該外側面扉パネルの上端左右両側に設け、その掛け具を受ける受け具を前記ボックス型本体平面の天板に設け、その平面の外側寄りに開口部を形成し、その開口部を塞ぐ外側の可動天板を平面の内側寄りの天板にヒンジを介して開閉できるように結合したものである。
【発明の効果】
【００１２】
本発明は上記の構成であるから、次のような効果がある。すなわち、請求項１にあっては、ボックス型本体の外側面と内側面にゴミの投入口と収集口を別々に設けたことにより、敷地の内側からゴミを投入し、外側すなわち道路側からゴミを回収するために収集することができる。
これによって、ゴミの投入に自動車や自転車が往来する道路側に出る必要がないので高齢者や子供でも安心してゴミ出し作業やその手伝いをすることができる。
また、ゴミ収集口にあっては、外側面扉パネルのほか、天板が開閉し、ゴミ投入口にあっては、内側傾斜パネルのほか、内側面の上半部の扉パネルが開閉できるので、その収集口や投入口がより大きくなり、ゴミの回収のための収集や投入及び清掃作業が容易になる。
そして、請求項２のように、内側面及び外外両面を垂直面にしたボックス型本体１にあっては、場所をとらず収容量を増大させることができる。
【発明を実施するための最良の形態】
【００１３】
次に本発明を実施するための最良の形態を説明する。
ステンレスを可とする金属製成形したボックス型本体１の外側面において、その上半部にゴミの収集口となる開口部Ｓを形成し、当該開口部を塞ぐための外側面扉パネル２を上下方向にスライドできるように左右のガイドレール３・３に掛止し、前記の外側面扉パネル２を上昇して開口部Ｓを塞いだときに掛止するピン状の掛け具４を当該外側面扉パネルの上端左右両側に設け、その掛け具を受ける受け具５を前記ボックス型本体１の平面の可動天板６1に設け、且つその平面の外側面扉パネル寄りに開口部Ｓ1を形成し、その開口部を塞ぐ可動天板６1を平面の固定天板６2にヒンジ７を介して開閉できるように結合する。そして、本体１の内側面の上半部にゴミの投入口となる傾斜開口部Ｓ2を形成し、その開口部を塞ぐための両開き式の傾斜扉パネル８・８を左右方向に観音開きできるように正面傾斜枠体１1にヒンジ７を介して結合する。且つ内側面の下半部のうち、傾斜扉パネル寄りの上半部に開口部Ｓ3を形成し、その開口部を塞ぐための内側面扉パネル９をその下部軸１０を上下方向にスライドできるように左右のガイド凹溝１０・１０に掛止すると共に、上部にピン状掛け具１２を設け、これを受ける受け具１３を内側面枠体１1に設け、前記内側面下半部の固定内側面板９′の下端と床板面１４との間に隙間１５を形成してある。
【実施例】
【００１４】
本発明の実施例を説明する。１はステンレスを可とする金属製ボックス型本体であり、その外側面の上半部にゴミの収集口となる開口部Ｓを形成してある。２は当該外側面の開口部Ｓを塞ぐための外側面扉パネルであり、上下方向にスライドできるように本体１の左右枠体１1に設けたガイドレール３・３に掛止してある。４は前記の外側面扉パネル２を上昇して開口部Ｓを塞いだときに掛止するための横向きの棒状軸を成す掛け具、５は当該外側面扉パネルの上端左右両側に設け、その棒状軸の掛け具を受ける受け具であり、前記本体１の平面に位置する天板側に設けてある。
６（６1・６2）はボックス型本体１の平面の天板であり、６1は外側面寄りに開口部Ｓ1を形成し、その開口部を塞ぐ外側の可動天板であり、これを内側面よりの固定天板６2にヒンジ７を介して開閉できるように結合してある。
【００１５】
８はボックス型本体１の内側面上半部にゴミの投入口となる傾斜開口部Ｓ2を形成し、その開口部を塞ぐための両開き式の傾斜扉パネルであり、これを左右方向に観音開きできるように内側面傾斜枠体１2に長蝶番式のヒンジ７を介して結合し、且つ内側面のうち、傾斜扉パネル寄りに開口部Ｓ3を形成し、この開口部を塞ぐための内側面パネル９の下部軸１１を上下方向にスライドできるように左右のガイド凹溝部１０に掛止すると共に、上部にピン状の掛け具１２を設け、これを受ける掛止受具１３を内側枠体１3に設けてある。前記内側面のうち、下半部の内側面板9′の下端と床面１４との間にその間口の全長に渡って隙間１５を形成してある。前記の各パネル２・８・９にはパンチングによる無数の小孔１７をあけてある。
【００１６】
「具体的な使用例」  図1・図２において、ボックス型本体１の内側面を敷地側に向けて設置する。これによって、内側面は敷地内に向いている。町内や住宅、マンション等の住人は、この内側面から傾斜扉パネル８を開いて開口Ｓからゴミ袋を投入する。この場合、内側面パネル９の把手１６を持って上方に引き上げると、下部軸１１がガイド凹溝部１０内を上昇すると共に上部の棒軸状の掛止具１２が受け具１３から外れ、自重で下降した後、反転させると図９の状態になり、開口部Ｓ3が形成される。内側面の傾斜扉パネル８・内側面パネル９を閉じるには前記の開き順序と逆の順序で行う。
【００１７】
次に、図1・図２において、道路側に位置する外側面にあっては、外側面扉パネル２の把手１６を持って矢印のように少し持ち上げてピン状の掛止具４を受け具５から外すと当該外側面扉パネルは自重でガイドレール３内を下降して開口Ｓが形成される（図５）。また、本体平面の可動天板６1の把手１６を持って持ち上げて反転すると外側面の開口Ｓに連通する開口Ｓ1が形成される（図６）。この開口Ｓ・Ｓ1から中に集積されたゴミ袋を取り出す。外側面扉パネル２及び可動天板６1を閉じるには前記の開き順序と逆の順序で行う。
【００１８】
ボックス型本体１内を清掃する場合は、内側面の傾斜扉パネル８・内側面パネル９を開いて開口Ｓ2・Ｓ3を形成することによって内部に箒やブラシなどを入れやすくなると共に、内側面板９と床面１４の間に形成された隙間１５からスムーズに掃き出せる。
なお、図１２は、図1〜１１のボックス型本体１とは別の実施例を示すもので、外側面タイプの外側面扉パネル２を対向内側面にも設けたものである。これによって、傾斜面のないボックス型となり、その分容積が増大する。
【産業上の利用可能性】
【００１９】
本発明に係るゴミ収集用集積庫は、外側面（道路側）と内側面（敷地側）の向きを変えて設置することも可能である。また、ゴミ収集用集積庫以外の物品の収容庫として使用することもできる。
【図面の簡単な説明】
【００２０】
【図１】本発明に係るゴミ収集用集積庫の側面図である。
【図２】図1の設置状態を示す平面図である。
【図３】斜視図である。
【図４】外側面の斜視図である。
【図５】外側面扉パネルの開扉状態の斜視図である。
【図６】外側面扉パネルの開扉と可動天板を開いた斜視図である。
【図７】内側面の斜視図である。
【図８】内側面の傾斜扉パネルを両開きした状態の斜視図である。
【図９】内側の内側面パネルを開いた状態の斜視図である。
【図１０】図４の上端部の一部を示す拡大斜視図である。
【図１１】図８の一部の拡大斜視図である。
【図１２】図１の他の例を示す側面図である。
【符号の説明】
【００２１】
１…ボックス型本体
２…外側面扉パネル
３…ガイドレール
４…掛け具
５…受け具
６…天板
６1…可動天板
６2…固定天板
７…ヒンジ
８…傾斜扉パネル
９…内側面パネル
１０…ガイド凹溝
１１…内側面パネルの下部軸
１２…掛け具
１３…受け具
１４…床面
１５…隙間
１６…把手
１７…パネルにあけた孔
【図１】
2006103838.tif 000003
【図２】
2006103838.tif 000004
【図３】
2006103838.tif 000005
【図４】
2006103838.tif 000006
【図５】
2006103838.tif 000007
【図６】
2006103838.tif 000008
【図７】
2006103838.tif 000009
【図８】
2006103838.tif 000010
【図９】
2006103838.tif 000011
【図１０】
2006103838.tif 000012
【図１１】
2006103838.tif 000013
【図１２】
2006103838.tif 000014